(57)【要約】      （修正有）【課題】低コストで、必要最低限の強度をもたせることができる梱包材を提供する。【解決手段】梱包材は被梱包物の一面を受ける受け台部１０を備え、受け台部１０は、第１の部材１１と第２の部材１２とを有する。第１の部材１１と第２の部材１２とは、互いに交差して重なり合う。この重なり合う領域は、被梱包物の底面に対向する領域を第１の部材１１と第２の部材１２とが重なる二重部分とし、低コストで、必要最低限の強度をもたせることができる。【選択図】図４Ｂ
2011073785.tif 000002
【特許請求の範囲】
【請求項１】
被梱包物の一面を受ける受け台部を備え、
この受け台部は、第１の部材と、この第１の部材に連結部を介して接続される第２の部材とを有し、
上記第１の部材と上記第２の部材とは、互いに交差して、重なり合い、
この重なり合う領域は、上記被梱包物の上記一面に対向する領域であることを特徴とする梱包材。
【請求項２】
請求項１に記載の梱包材において、
上記受け台部が展開した状態では、上記第１の部材、上記第２の部材および上記連結部は、一枚のシート材を構成することを特徴とする梱包材。
【請求項３】
請求項２に記載の梱包材において、
上記受け台部が展開した状態では、上記第１の部材と上記第２の部材とは、互いに平行に配置されると共に、上記第１の部材の一面と上記第２の部材の一面とは、同一平面にあり、一方、上記受け台部が組み立てられた状態では、上記第１の部材と上記第２の部材とは、互いに直交に配置されると共に、上記第１の部材の一面と上記第２の部材の他面とは、重なり、
上記連結部は、上記受け台部が展開状態から組立状態に移行するときに、上記連結部が折り曲げられて、上記第１の部材に対して上記第２の部材を相対的に回転しながら、上記第１の部材の一面に上記第２の部材の他面を重ねるように、形成されていることを特徴とする梱包材。
【請求項４】
請求項３に記載の梱包材において、
上記連結部は、上記第１の部材に接続されると共に上記受け台部の組立状態で折り曲げられる第１の折曲辺と、上記第２の部材に接続されると共に上記受け台部の組立状態で折り曲げられる第２の折曲辺とを有し、
上記受け台部の展開状態において、上記第１の折曲辺は、上記受け台部の展開状態での上記第１の部材および上記第２の部材の互いに平行な配置方向に、平行に形成され、一方、上記第２の折曲辺は、上記第１の折曲辺に対して４５°に傾くように形成され、
上記受け台部の組立状態において、上記第１の折曲辺と上記第２の折曲辺とは、互いに逆向きに折り曲げられることを特徴とする梱包材。
【請求項５】
請求項４に記載の梱包材において、
上記受け台部の展開状態において、上記第１の部材の形状と、上記第２の部材と上記連結部とを組み合わせた形状とは、略同じ形状であることを特徴とする梱包材。
【請求項６】
請求項１から５の何れか一つに記載の梱包材において、
上記第１の部材と上記第２の部材とは、それぞれ、上記重なり合う領域に、互いに重なる係止孔を有し、上記第１の部材と上記第２の部材とは、それぞれ、上記受け台部が展開した状態の端部に、係止爪を有し、
上記第１の部材の係止爪および上記第２の部材の係止爪は、それぞれ、上記第１の部材の係止孔と上記第２の部材の係止孔とに差し込まれることを特徴とする梱包材。
【発明の詳細な説明】
【技術分野】
【０００１】
この発明は、冷蔵庫や棚などの被梱包物の一面を梱包する梱包材に関わり、特に、被梱包物の底面を支持しつつ梱包する梱包材に関する。
【背景技術】
【０００２】
従来、冷蔵庫の底面を支持しつつ梱包する梱包材としては、底台と、この底台の左右両側に固定される下部緩衝部材とを、備えたものがある（特開平７−２６７２７７号公報：特許文献１参照）。
【０００３】
この底台は、一枚の段ボール材からなり、この底台における冷蔵庫の底面に対向する底部分の厚みは、必然的に、段ボール一枚の厚みとなる。
【先行技術文献】
【特許文献】
【０００４】
【特許文献１】特開平７−２６７２７７号公報
【発明の概要】
【発明が解決しようとする課題】
【０００５】
しかしながら、上記従来の梱包材では、上記底台の上記底部分の厚みは、段ボール一枚の厚みとなるので、底台の底部分が、冷蔵庫を支持するには、底台の底部分の強度が十分でない問題があった。
【０００６】
ここで、単に、底台の厚みを一様に厚くして、底台の底部分に必要な強度をもたせたとしても、底部分以外の強度を確保する必要のない部分の厚みまで、厚くなるため、梱包材のコストが向上する問題がある。
【０００７】
そこで、この発明の課題は、低コストで、必要最低限の強度をもたせることができる梱包材を提供することにある。
【課題を解決するための手段】
【０００８】
上記課題を解決するため、この発明の梱包材は、
被梱包物の一面を受ける受け台部を備え、
この受け台部は、第１の部材と、この第１の部材に連結部を介して接続される第２の部材とを有し、
上記第１の部材と上記第２の部材とは、互いに交差して、重なり合い、
この重なり合う領域は、上記被梱包物の上記一面に対向する領域であることを特徴としている。
【０００９】
この発明の梱包材によれば、上記受け台部は、第１の部材と第２の部材とを有し、上記第１の部材と上記第２の部材とは、互いに交差して、重なり合い、この重なり合う領域は、上記被梱包物の上記一面に対向する領域であるので、受け台部における被梱包物の一面に対向する部分を、第１の部材と第２の部材とが重なる二重部分としている。
【００１０】
そして、受け台部における被梱包物の一面に対向する部分は、強度を確保する必要がある部分であり、この部分を二重部分とする一方、強度を確保する必要のない他の部分は、二重部分としないので、受け台部を一様に厚くして必要以上の強度をもたせることなく、低コストで、必要最低限の強度をもたせることができる。
【００１１】
また、一実施形態の梱包材では、上記受け台部が展開した状態では、上記第１の部材、上記第２の部材および上記連結部は、一枚のシート材を構成する。
【００１２】
この実施形態の梱包材によれば、上記受け台部が展開した状態では、上記第１の部材、上記第２の部材および上記連結部は、一枚のシート材を構成するので、受け台部は、一枚のシート材から組み立てられ、受け台部を構成する部品数を少なくできる。
【００１３】
また、一実施形態の梱包材では、
上記受け台部が展開した状態では、上記第１の部材と上記第２の部材とは、互いに平行に配置されると共に、上記第１の部材の一面と上記第２の部材の一面とは、同一平面にあり、一方、上記受け台部が組み立てられた状態では、上記第１の部材と上記第２の部材とは、互いに直交に配置されると共に、上記第１の部材の一面と上記第２の部材の他面とは、重なり、
上記連結部は、上記受け台部が展開状態から組立状態に移行するときに、上記連結部が折り曲げられて、上記第１の部材に対して上記第２の部材を相対的に回転しながら、上記第１の部材の一面に上記第２の部材の他面を重ねるように、形成されている。
【００１４】
この実施形態の梱包材によれば、上記連結部は、上記受け台部が展開状態から組立状態に移行するときに、上記連結部が折り曲げられて、上記第１の部材に対して上記第２の部材を相対的に回転しながら、上記第１の部材の一面に上記第２の部材の他面を重ねるように、形成されているので、受け台部を、一枚のシート材から、簡単に組み立てることができる。
【００１５】
また、一実施形態の梱包材では、
上記連結部は、上記第１の部材に接続されると共に上記受け台部の組立状態で折り曲げられる第１の折曲辺と、上記第２の部材に接続されると共に上記受け台部の組立状態で折り曲げられる第２の折曲辺とを有し、
上記受け台部の展開状態において、上記第１の折曲辺は、上記受け台部の展開状態での上記第１の部材および上記第２の部材の互いに平行な配置方向に、平行に形成され、一方、上記第２の折曲辺は、上記第１の折曲辺に対して４５°に傾くように形成され、
上記受け台部の組立状態において、上記第１の折曲辺と上記第２の折曲辺とは、互いに逆向きに折り曲げられる。
【００１６】
この実施形態の梱包材によれば、上記受け台部の展開状態において、上記第１の折曲辺は、上記受け台部の展開状態での上記第１の部材および上記第２の部材の互いに平行な配置方向に、平行に形成され、一方、上記第２の折曲辺は、上記第１の折曲辺に対して４５°に傾くように形成され、上記受け台部の組立状態において、上記第１の折曲辺と上記第２の折曲辺とは、互いに逆向きに折り曲げられるので、連結部を簡単な構成にでき、受け台部を簡単に組み立てることができる。
【００１７】
また、一実施形態の梱包材では、上記受け台部の展開状態において、上記第１の部材の形状と、上記第２の部材と上記連結部とを組み合わせた形状とは、略同じ形状である。
【００１８】
この実施形態の梱包材によれば、上記受け台部の展開状態において、上記第１の部材の形状と、上記第２の部材と上記連結部とを組み合わせた形状とは、略同じ形状であるので、展開状態の受け台部を簡単に作成できる。
【００１９】
また、一実施形態の梱包材では、
上記第１の部材と上記第２の部材とは、それぞれ、上記重なり合う領域に、互いに重なる係止孔を有し、上記第１の部材と上記第２の部材とは、それぞれ、上記受け台部が展開した状態の端部に、係止爪を有し、
上記第１の部材の係止爪および上記第２の部材の係止爪は、それぞれ、上記第１の部材の係止孔と上記第２の部材の係止孔とに差し込まれる。
【００２０】
この実施形態の梱包材によれば、上記第１の部材の係止爪および上記第２の部材の係止爪は、それぞれ、上記第１の部材の係止孔と上記第２の部材の係止孔とに差し込まれるので、第１の部材と第２の部材とを強固に組み付けることができ、第１の部材と第２の部材とを固定するテープ等が不要になる。
【発明の効果】
【００２１】
この発明の梱包材によれば、上記受け台部は、第１の部材と第２の部材とを有し、上記第１の部材と上記第２の部材とは、互いに交差して、重なり合い、この重なり合う領域は、上記被梱包物の上記一面に対向する領域であるので、低コストで、必要最低限の強度をもたせることができる。
【図面の簡単な説明】
【００２２】
【図１】冷蔵庫の梱包組立を示す説明図である。
【図２】本発明の梱包材の第１実施形態を示す斜視図である。
【図３Ａ】図２のＡ−Ａ断面図である。
【図３Ｂ】図２のＢ−Ｂ断面図である。
【図４Ａ】受け台部の展開状態を示す平面図である。
【図４Ｂ】受け台部の組立状態を示す平面図である。
【図５Ａ】受け台部の展開状態を示す平面図である。
【図５Ｂ】受け台部の組立状態を示す平面図である。
【図６Ａ】本発明の梱包材の第２実施形態を示すと共に受け台部の展開状態を示す平面図である。
【図６Ｂ】本発明の梱包材の第２実施形態を示すと共に受け台部の組立状態を示す平面図である。
【図７Ａ】図６Ｂの受け台部を組み立てた状態のＡ−Ａ断面図である。
【図７Ｂ】図６Ｂの受け台部を組み立てた状態のＢ−Ｂ断面図である。
【発明を実施するための形態】
【００２３】
以下、この発明を図示の実施の形態により詳細に説明する。
【００２４】
（第１の実施形態）
図１は、この発明の梱包材の使用状態を示す斜視図を示している。梱包材１は、冷蔵庫２の底面２ａを支持しつつ梱包して、この冷蔵庫２に対する外部からの衝撃を緩衝する。
【００２５】
そして、冷蔵庫２の標準的な梱包方法を説明すると、重量物である冷蔵庫２を、梱包材１に載せて、ポリ袋３に続いて外装箱４を被せた後、上部緩衝材５を設置して、仮想線に示すようにテープ６にて封緘し、最後にＰＰバンド７にて梱包材１と外装箱４とを結束する。なお、図１中の矢印Ｆ方向は、冷蔵庫２の前側（扉側）を示す。矢印Ｆ方向からみて左右の方向を、左右方向という。
【００２６】
図２に示すように、上記梱包材１は、上記冷蔵庫２の底面を受ける受け台部１０と、この受け台部１０に取り付けられる左右のパッド部１５，１６とを有する。受け台部１０は、第１の部材１１と第２の部材１２とを有し、この第１の部材１１とこの第２の部材１２とは、四隅のテープ１７によって、固定されている。受け台部１０の材質は、段ボールであり、パッド部１５，１６の材質は、発泡スチロールである。
【００２７】
図３Ａと図３Ｂに示すように、上記第１の部材１１と上記第２の部材１２とは、重なり合っている。この重なり合う領域は、上記冷蔵庫２の底面に対向する領域である。冷蔵庫２の側面に対向する領域では、第１の部材１１と第２の部材１２とは、重なり合っていない。なお、図３Ａと図３Ｂでは、図２の左右のパッド部１５，１６を省略して描いている。
【００２８】
図４Ａに示すように、上記受け台部１０が展開した状態では、受け台部１０は、一枚のシート材Ｐを構成する。上記第１の部材１１と上記第２の部材１２とは、連結部１３を介して接続されている。
【００２９】
上記第１の部材の形状１１と、上記第２の部材１２と上記連結部１３とを組み合わせた形状とは、略同じ形状の矩形状である。第１の部材１１、第２の部材１２および連結部１３は、一枚のシート材Ｐを構成する。
【００３０】
上記第１の部材１１と上記第２の部材１２とは、互いに平行に配置され、第１の部材１１の一面と第２の部材１２の一面とは、同一平面にある。第１の部材１１の一面と第２の部材１２の一面とには、それぞれ、折曲部１１１，１２１が設けられている。
【００３１】
上記連結部１３は、上記第１の部材１１に接続される第１の折曲辺１３１と、上記第２の部材１２に接続される第２の折曲辺１３２とを有する。第１の折曲辺１３１は、受け台部１０の展開状態での第１の部材１１および第２の部材１２の互いに平行な配置方向に、平行に形成される。第２の折曲辺１３２は、第１の折曲辺１３１に対して４５°に傾くように形成される。
【００３２】
上記折曲部１１１，１２１、上記第１の折曲辺１３１、および、上記第２の折曲辺１３２において、一点鎖線は、受け台部１０の組立時の山折りを示し、二点鎖線は、受け台部１０の組立時の谷折りを示す。
【００３３】
一枚のシート材Ｐから受け台部１０を作成するには、シート材Ｐの左右両側から中央に向けて左右方向の第１、第２のスリットＳ１，Ｓ２を設け、第１のスリットＳ１からさらに図中下側に向けて第３のスリットＳ３を設け、第２のスリットＳ２からさらに斜め４５°下側に向けて第４のスリットＳ４を設ける。第１のスリットＳ１の先端と第２のスリットＳ２の先端との間が、第１の折曲辺１３１を形成し、第３のスリットＳ３の先端と第４のスリットＳ４の先端との間が、第２の折曲辺１３２を形成する。
【００３４】
そして、上記受け台部１０を展開状態から組み立てていくと、上記第１の折曲辺１３１を谷折りとし、上記第２の折曲辺１３２を山折りとすることで、上記第２の部材１２は、反時計回りに回転しながら、上記第１の部材１１の上側に位置して、図４Ｂに示すように、第１の部材１１と第２の部材１２とは、互いに交差して、重なり合う。第１の部材１１と第２の部材１２とは、互いに直交に配置され、第１の部材１１の一面と第２の部材１２の他面とは、重なる。この重なり合う部分が、受け台部１０の底壁を形成し、この底壁が、冷蔵庫２の底面に対向する。
【００３５】
そして、上記第１の部材１１の第２の部材１２とは重ならない部分の折曲部１１１を、谷折りとし、上記第２の部材１２の第１の部材１１とは重ならない部分の折曲部１２１を谷折りとして、受け台部１０の側壁を形成し、この側壁が、冷蔵庫２の側面に対向する。この隣り合う側壁を、図２に示すように、テープ１７にて固定することで、受け台部１０を組み立てる。
【００３６】
上記連結部１３は、四角形であるが、受け台部１０が展開状態から組立状態に移行するときに、連結部１３が折り曲げられて、第１の部材１１に対して第２の部材１２を相対的に回転しながら、第１の部材１１の一面に第２の部材１２の他面を重ねるように、形成されていればよい。
【００３７】
例えば、図５Ａに示すように、受け台部１０Ａの連結部１３Ａは、三角形である。つまり、この受け台部１０Ａには、図４Ａの第３のスリットＳ３がなく、第１のスリットＳ１の先端と第２のスリットＳ２の先端との間が、第１の折曲辺１３１Ａを形成し、第１のスリットＳ１の先端と第４のスリットＳ４の先端との間が、第２の折曲辺１３２Ａを形成する。そして、第１の折曲辺１３１Ａを谷折りとし、第２の折曲辺１３２Ａを山折りとすることで、第２の部材１２Ａは、反時計回りに回転しながら、第１の部材１１Ａの上側に位置して、図５Ｂに示すように、第１の部材１１Ａと第２の部材１２Ａとは、互いに交差して、重なり合う。
【００３８】
上記構成の梱包材１によれば、上記受け台部１０は、第１の部材１１と第２の部材１２とを有し、上記第１の部材１１と上記第２の部材１２とは、互いに交差して、重なり合い、この重なり合う領域は、上記冷蔵庫２の上記底面２ａに対向する領域であるので、受け台部１０における冷蔵庫２の底面２ａに対向する部分を、第１の部材１１と第２の部材１２とが重なる二重部分としている。
【００３９】
そして、受け台部１０における冷蔵庫２の底面２ａに対向する部分は、強度を確保する必要がある部分であり、この部分を二重部分とする一方、強度を確保する必要のない他の部分は、二重部分としないので、受け台部１０を一様に厚くして必要以上の強度をもたせることなく、低コストで、必要最低限の強度をもたせることができる。
【００４０】
例えば、第１の部材１１および第２の部材１２をシングル段ボールとしても、二重部分をダブル段ボールと同等の強度とできる。つまり、受け台部１０の底部分の強度確保のためダブル段ボールを用いることなく、シングル段ボールにてダブル段ボール同等の強度を実現でき、かつ、強度が必要ない受け台部１０の側面部分にシングル段ボールを構成できる。
【００４１】
特に、近年、冷蔵庫の大容量化に伴って、冷蔵庫製品の重量と、冷蔵庫製品の水平方向の断面積とが、増加する傾向にあるが、上記構成の受け台部１０によって、受け台部１０の底部の強度を向上できる。また、大容量化した冷蔵庫を移動させる場合、冷蔵庫を横滑りさせて移動するのが作業的にも容易であるが、冷蔵庫を横滑りさせても、受け台部１０の底部のダメージを防ぐことができる。
【００４２】
また、上記受け台部１０が展開した状態では、上記第１の部材１１、上記第２の部材１２および上記連結部１３は、一枚のシート材Ｐを構成するので、受け台部１０は、一枚のシート材Ｐから組み立てられ、受け台部１０を構成する部品数を少なくできる。つまり、木材などの他の異種材料を用いなくても、必要最低限の強度を有する受け台部１０を作ることができる。
【００４３】
また、上記連結部１３は、上記受け台部１０が展開状態から組立状態に移行するときに、上記連結部１３が折り曲げられて、上記第１の部材１１に対して上記第２の部材１２を相対的に回転しながら、上記第１の部材１１の一面に上記第２の部材１２の他面を重ねるように、形成されているので、受け台部１０を、一枚のシート材Ｐから、簡単に組み立てることができる。
【００４４】
また、上記受け台部１０の展開状態において、上記第１の折曲辺１３１は、上記受け台部１０の展開状態での上記第１の部材１１および上記第２の部材１２の互いに平行な配置方向に、平行に形成され、一方、上記第２の折曲辺１３２は、上記第１の折曲辺１３１に対して４５°に傾くように形成され、上記受け台部１０の組立状態において、上記第１の折曲辺１３１と上記第２の折曲辺１３２とは、互いに逆向きに折り曲げられるので、連結部１３を簡単な構成にでき、受け台部１０を簡単に組み立てることができる。
【００４５】
また、上記受け台部１０の展開状態において、上記第１の部材１１の形状と、上記第２の部材１２と上記連結部１３とを組み合わせた形状とは、略同じ形状であるので、展開状態の受け台部１０を簡単に作成できる。
【００４６】
（第２の実施形態）
図６Ａは、この発明の梱包材の第２の実施形態を示している。上記第１の実施形態と相違する点を説明すると、この第２の実施形態では、受け台部の第１の部材および第２の部材の構成が相違する。なお、この第２の実施形態において、上記第１の実施形態と同一の部分には、同一の参照番号を付して、詳細な説明を省略する。
【００４７】
図６Ａに示すように、受け台部１０Ｂの第１の部材１１Ｂは、第１の部材１１Ｂと第２の部材１２Ｂとが重なる領域において、複数（８つ）の係止孔１１５Ｂを有する。第１の部材１１Ｂの受け台部１０Ｂが展開した状態の左右両側には、複数（４つ）の係止爪１１６Ｂを有する。同様に、第２の部材１２Ｂは、第１の部材１１Ｂと第２の部材１２Ｂとが重なる領域において、複数（７つ）の係止孔１２５Ｂを有する。第２の部材１２Ｂの受け台部１０Ｂが展開した状態の左右両側には、複数（４つ）の係止爪１２６Ｂを有する。
【００４８】
そして、図６Ｂに示すように、上記第１の部材１１Ｂと上記第２の部材１２Ｂとが、互いに交差して、重なり合った状態では、第１の部材１１Ｂの一つの係止孔１１５Ｂを除いた全ての係止孔１１５Ｂは、第２の部材１２Ｂの全ての係止孔１２５Ｂに重なる。
【００４９】
そして、図７Ａに示すように、上記第１の部材１１Ｂの第２の部材１２Ｂとは重ならない部分を谷折りに折り返して、第１の部材１１Ｂの係止爪１１６Ｂを、第２の部材１２Ｂの係止孔１２５Ｂと第１の部材１１Ｂの係止孔１１５Ｂとに差し込む。また、図７Ｂに示すように、上記第２の部材１２Ｂの第１の部材１１Ｂとは重ならない部分を谷折りに折り返して、第２の部材１２Ｂの係止爪１２６Ｂを、第２の部材１２Ｂの係止孔１２５Ｂと第１の部材１１Ｂの係止孔１１５Ｂとに差し込む。
【００５０】
このように、上記第１の部材１１Ｂの係止爪１１６Ｂを、上記係止孔１１５Ｂ，１２５Ｂに差し込み、上記第２の部材１２Ｂの係止爪１２６Ｂを、上記係止孔１１５Ｂ，１２５Ｂに差し込むことで、第１の部材１１Ｂと第２の部材１２Ｂとを強固に組み付けることができ、図２に示すテープ１７が不要になる。したがって、接着剤やテープ等の異種材料を用いることなく、受け台部１０Ｂを構成できるので、リサイクルし易く環境に配慮した梱包材を提供できる。
【００５１】
なお、この発明は上述の実施形態に限定されない。例えば、冷蔵庫の底面以外の上面や側面などの一面を、梱包材にて支持してもよい。また、冷蔵庫以外に洗濯機や棚や家具などの箱体を被梱包物として、この被梱包物を梱包材にて梱包してもよい。
【００５２】
また、図４Ａにおいて、第１の折曲辺１３１を山折りとし、第２の折曲辺１３２を谷折りとして、図４Ｂにおいて、第２の部材１２を第１の部材１１の下側に位置するようにしてもよく、第１の折曲辺１３１と第２の折曲辺１３２とを、互いに逆向きに折り曲げるようにすればよい。
【００５３】
また、第２の部材の形状と、第１の部材と連結部とを組み合わせた形状とを、略同じ形状の矩形状となるようにしてもよい。また、第１の部材の形状と第２の部材の形状とを略同じ形状の矩形状となるようにしてもよい。
【００５４】
また、第１の部材、第２の部材および連結部の形状は、如何なる形状であってもよい。また、係止孔や係止爪の数量の増減は、自由である。
【符号の説明】
【００５５】
１  梱包材
２  冷蔵庫（被梱包物）
２ａ  底面（一面）
１０，１０Ａ，１０Ｂ  受け台部
１１，１１Ａ，１１Ｂ  第１の部材
１２，１２Ａ，１２Ｂ  第２の部材
１１５Ｂ，１２５Ｂ  係止孔
１１６Ｂ，１２６Ｂ  係止爪
１３，１３Ａ  連結部
１３１，１３１Ａ  第１の折曲辺
１３２，１３２Ａ  第２の折曲辺
Ｐ  シート材
【図１】
2011073785.tif 000003
【図２】
2011073785.tif 000004
【図３Ａ】
2011073785.tif 000005
【図３Ｂ】
2011073785.tif 000006
【図４Ａ】
2011073785.tif 000007
【図４Ｂ】
2011073785.tif 000008
【図５Ａ】
2011073785.tif 000009
【図５Ｂ】
2011073785.tif 000010
【図６Ａ】
2011073785.tif 000011
【図６Ｂ】
2011073785.tif 000012
【図７Ａ】
2011073785.tif 000013
【図７Ｂ】
2011073785.tif 000014